(57)【要約】【課題】乳がんの予防ないし治療をしようとするものである。【解決手段】加熱ヒータ２２により発生した熱をプローブ本体２１の円筒板部２１Ｄの先端面から被験者の乳房５の表面に伝達することによって、乳房５の乳房内部６の温度と、円筒板部２１Ｄの先端面２１Ａが当接する部分で囲まれた乳房５の表面部分の温度とが一致する状態を得、このとき加熱ヒータ２２が発生する熱を加温処置するに必要な大きさに切り換えることにより、乳房５の乳房内部６の温度を免疫力が向上する温度にまで高めるようにし得、これにより乳がんの発生を安全かつ確実に予防ないし治療できる乳房加温装置１１を実現できる。【選択図】図３
2011072640.tif 000002
【特許請求の範囲】
【請求項１】
一端を閉塞板部で閉塞した円筒板部を有し、熱伝導材料で構成されたプローブ本体と、
上記プローブ本体の内部に配設され、上記プローブ本体を加熱する加熱ヒータと、
上記プローブ本体の内部において、上記加熱ヒータから発生された熱を上記プローブ本体に伝達させるように、上記加熱ヒータを保持する断熱部材と、
上記断熱部材の外表面に設けられた表面温度センサと
を含む加温プローブを具え、上記プローブ本体の円筒板部の先端面及び上記表面温度センサ及が被験者の乳房の表面に当接するように、上記加温プローブを当該乳房の表面に装着して、上記プローブ本体の円筒板部の先端面の熱を上記乳房の表面に伝達させることにより、上記表面温度センサで上記乳房の表面温度を検出しながら当該検出結果に基づいて上記加熱ヒータを加熱動作させ、これにより上記乳房の乳房内部を加温処置する
ことを特徴とする乳房加温装置。
【請求項２】
上記プローブ本体の温度を検出する制御用温度センサと、
上記表面温度センサの検出信号と、上記制御用温度センサの検出信号とに基づいて上記加熱ヒータにおける加熱発熱量を制御するシステム制御部と
を具え、上記システム制御部は、上記表面温度センサの測定温度と上記乳房内部の温度とを平衡させるように制御動作する
ことを特徴とする請求項１に記載の乳房加温装置。
【請求項３】
上記システム制御部は、上記加熱ヒータの発熱量を内部温度設定値に設定することにより、上記表面温度センサの測定温度を上記乳房内部の温度と一致させる
ことを特徴とする請求項２に記載の乳房加温装置。
【請求項４】
上記システム制御部は、上記表面温度センサの測定温度と上記乳房内部の温度との一致が得られたとき、上記加熱ヒータの発熱量を加温用設定値に設定することにより、上記乳房内部の温度を加温処置温度に高める
ことを特徴とする請求項３に記載の乳房加温装置。
【発明の詳細な説明】
【技術分野】
【０００１】
本発明は、乳房加温装置に関し、特に乳がんの発生を予防ないし治療しようとするものである。
【背景技術】
【０００２】
近年、図１１に示すように、女性がかかるがんについて、乳がんの発生率が高くなる傾向にあることが指摘され、乳がん発生リスクファクタの研究がなされている（非特許文献１参照）。
【先行技術文献】
【特許文献】
【０００３】
【非特許文献１】中川恵一著  がんの教科書  三省堂２００６。
【非特許文献２】入来正弼著  体温生理学テキスト  文光堂２００３。
【非特許文献３】山陰道明著  「低体温がもたらす体の不調を解消しよう」暮らしと健康２００８．０８、２６〜２９頁。
【特許文献１】特表２００５−５３２８６８
【特許文献２】特表２００６−５０２８０２
【特許文献３】特開２００７−２４４４００
【発明の概要】
【発明が解決しようとする課題】
【０００４】
このように乳がんが増え続けている背景には、生活習慣の欧米化があると言われている。
【０００５】
最近では、その対策としていわゆるピンクリボン運動に代表される早期発見が効果を上げていると共に、三大療法、すなわち外科手術、化学療法及び放射線療法が効果を上げている。
【０００６】
しかしながら、乳がんの予防については、その１つの手法として、温熱治療方法が提案されているが（特許文献１ないし３参照）、具体的な療法としては、未だ普及していない。
【０００７】
本発明は以上の点を考慮してなされたもので、乳がんの発生の予防ないし治療に有効な乳房加温装置を提案しようとするものである。
【課題を解決するための手段】
【０００８】
かかる課題を解決するため本発明においては、一端を閉塞板部２１Ｃで閉塞した円筒板部２１Ｄを有し、熱伝導材料で構成されたプローブ本体２１と、プローブ本体２１の内部に配設され、プローブ本体２１を加熱する加熱ヒータ２２と、プローブ本体２１の内部において、加熱ヒータ２２から発生された熱をプローブ本体２１に伝達させるように、加熱ヒータ２２を保持する断熱部材２３と、断熱部材２３の外表面に設けられた表面温度センサ２４とを含む加温プローブ１３を具え、プローブ本体２１の円筒板部２１Ｄの先端面２１Ａ及び表面温度センサ２４及が被験者の乳房５の表面に当接するように、加温プローブ１３を当該乳房５の表面に装着して、プローブ本体２１の円筒板部２１Ｄの先端面の熱を乳房５の表面に伝達させることにより、表面温度センサ２４で乳房５の表面温度を検出しながら当該検出結果に基づいて加熱ヒータ２２を加熱動作させ、これにより乳房５の乳房内部６を加温処置する。
【発明の効果】
【０００９】
本発明によれば、加熱ヒータにより発生した熱をプローブ本体の円筒板部の先端面から被験者の乳房の表面に伝達することによって、乳房の乳房内部の温度と、円筒板部の先端面が当接する部分で囲まれた乳房の表面部分の温度とが一致する状態を得、このとき加熱ヒータが発生する熱を加温処置するに必要な大きさに切り換えることにより、乳房の乳房内部の温度を免疫力が向上する温度にまで高めるようにし得、これにより乳がんの発生を安全かつ確実に予防ないし治療できる乳房加温装置を実現できる。
【図面の簡単な説明】
【００１０】
【図１】人体の温度分布の説明に供する略線図である。
【図２】乳房加温手法の原理の説明に供する略線図である。
【図３】本発明の実施の形態による乳房加温装置を示す略線的ブロック図である。
【図４】図３の加温プローブの具体的構成を示す断面図である。
【図５】加温プローブの乳房への装着の仕方の説明に供する略線図である。
【図６】図３のシステム制御部１４の詳細構成を示すブロック図である。
【図７】図６の中央処理ユニット（ＣＰＵ）３１の加温動作処理手順を示すフローチャートである。
【図８】図６の加温処理データメモリ部３９の構成を略線図である。
【図９】第２の実施の形態の加温プローブの具体的構成を示す断面図である。
【図１０】図９の加温プローブの乳房への装着の仕方の説明に供する略線図である。
【図１１】乳がん発生リスクファクタとして知られている事項の説明に供する略線図である。
【発明を実施するための形態】
【００１１】
以下図面について、本発明の一実施の形態を詳述する。
【００１２】
（１）乳房加温手法の原理
免疫によるがん予防が一部の医師から提唱されており、多くは体温は免疫に相関があることに着目して、体温を高く保つことによりがん予防をしようとするものである。
【００１３】
ところで人体の温度分布は、図１に示すように（非特許文献２参照）、外気温から大きな影響を受けており、室温が３５〔°Ｃ〕の時の人体１の温度分布は、比較的広い範囲に亘って深部２の温度がほぼ核心温３７〔°Ｃ〕をもつと共に、人体１の表面の温度が体全体について１〔°Ｃ〕程度の低下、すなわち３６〔°Ｃ〕の程度に低下するに過ぎない。
【００１４】
これに対して室温が２０〔°Ｃ〕にまで下がると、核心温３７〔°Ｃ〕をもつ深部２の範囲は、上半身ないし頭部の比較的狭い範囲に縮減され、胴体下部、両腕、両足などの外郭部分の温度は深部２の温度３７〔°Ｃ〕から極端に低い温度になる。
【００１５】
この点について、当該人体の温度分布において、乳房は外郭部に属するために、外気温の影響を受けて冷え易い部位である。
【００１６】
これに加えて乳房は大胸筋と皮膚に挟まれた部位であるため、熱量の移動に寄与する大きな動脈がなく、高い温度を維持するためには毛細血管の血液移動が重要である。
【００１７】
しかしながら乳がんのリスクファクタは、図１１に示すように、毛細血管の血流を阻害するものが多く、がん予防のためには生活習慣の改善などに多大な努力が求められる。
【００１８】
これに対して、外郭に属する乳房は、外気温の影響を受け易いため、冷え易い部位であるが、逆に温め易い部位でもある。
【００１９】
実験によれば、図２（Ａ）に示すように、舌下温が３７．１〔°Ｃ〕、脇下温３６．９〔°Ｃ〕の被験者について、乳房５の表面温が３５．２〔°Ｃ〕のとき、乳房内部６の内部温は３５．５〔°Ｃ〕であった。
【００２０】
ところが、がんに対する人体１の機能として、図２（Ｂ）に示すように、がん細胞は、３５〔°Ｃ〕程度の低温では増殖し易いのに対して、高温には弱いことが知られている（非特許文献３参照）。
【００２１】
このような人体１の機能から考えると、乳房内部６の内部温が３５．５〔°Ｃ〕ではがん細胞が増殖し易い状態にあるから、図２（Ｃ）に示すように、加温手段７によって乳房５を外側から加温することにより乳房内部６の内部温を免疫力が活性化する温度（例えば図２（Ｂ）の３７．０〔°Ｃ〕以上の４１．０〔°Ｃ〕程度）にまで加温すれば、人体１の機能から見て、乳房内部６におけるがん細胞の発生を予防ないし治療が可能である。４１〔℃〕を越える場合、皮膚表層の火傷などの恐れがあり、好ましくない。
【００２２】
（２）乳房加温装置の構成
かかる動作原理に基づいて、当該実施の形態に基づく乳房加温装置１１は、図３に示すように、乳房の皮膚表面部１２に加温プローブ１３を設けると共に、この加温プローブ１３をシステム制御部１４によって制御することにより、乳房の深部１５の温度を乳がん予防可能温度（この実施の形態の場合３８．０〔°Ｃ〕）に高めることにより、乳房の深部１５の機能を高め、これにより乳がんの予防ないし治療をする。
【００２３】
加温プローブ１３は、熱伝導材料で構成された、一端を閉塞した円筒形状の、お碗型のプローブ本体２１の内部に、その内面を加熱するヒータ２２を設けると共に、プロープ本体２１の内部に詰め込んだ断熱材料でなる断熱部材２３を介して、プローブ本体２１の開口における中央部下面位置に、乳房の皮膚表面部１２に直接接触できるように、計測用サーミスタでなる表面温度センサ２４を配設する。
【００２４】
加熱ヒータ２２にはシステム制御部１４から加熱電流Ｓ１を供給することにより、加熱熱量がプローブ本体２１に供給され、その熱量がプローブ本体２１を熱伝導して皮膚表面部１２に当接した円環状先端面２１Ａから皮膚表面部１２に伝達される。
【００２５】
かくして、プローブ本体２１の円環状先端面２１Ａから皮膚表面部１２に伝達された熱量は、皮膚表面部１２のプローブ本体２１の外側の部位においては、当該外側の部位が外気にさらされているので、皮膚表面から自然放熱されることにより、皮膚表面部１２の外表面に近づくに従って温度が低下して行くように、等温線２５で示すような温度勾配を呈する。
【００２６】
これに対して、皮膚表面部１２のうち、プローブ本体２１の円環状先端面２１Ａによって囲まれかつ、断熱部材２３に接触している中央部２１Ｂの部位においては、当該中央部２１Ｂにおける皮膚表面部１２の表面の温度は、自然放熱の影響を受けずに、深部１５の温度と等しくなる。
【００２７】
この原理を応用すれば、表面温度センサ２４の周囲の皮膚から外気中に放散する熱を遮断することにより、深部１５の温度を表面温度センサ２４によって検出することができる（この手法は熱流補償法と呼ばれている）。
【００２８】
図３の加温プローブ１３は、当該熱流補償法を利用してプローブ本体２１から皮膚表面部１２に対して、加温プローブ１３を設けなかった場合の深部１５の温度より高い温度に加温できるように熱量を付与することにより深部１５の温度がその分高くなることを利用すると共に、当該深部１５の温度を高くした状態で、供給する熱量と放熱する熱量との平衡を得ることにより、深部１５の温度と等しい温度を表面温度センサ２４によって検出する。
【００２９】
かくして図３の加温プローブ１３は、深部１５の温度を表面温度センサ２４によって確認しながら、当該深部１５の温度を高めるような加温動作をすることができる。
【００３０】
表面温度センサ２４によって得られた表面温度検出信号Ｓ２はシステム制御部１４に取り込まれる。
【００３１】
これに加えて、プローブ本体２１の温度が、プローブ本体２１に埋め込まれた制御用温度センサ２６によって検出され、これが制御用温度検出信号Ｓ３としてシステム制御部１４に取り込まれる。
【００３２】
この実施の形態の場合、加熱プロープ１３は、図４に示すように、円筒板部２１Ｄの一端を閉塞板部２１Ｃによって閉塞した構成のプローブ本体２１を有し、当該円筒板部２１Ｄ及び閉塞板部２１Ｃの内面に沿うように加熱ヒータ２２を構成する電熱線を配設し、外側中央部に表面温度センサ２４を有する円板状の断熱部材２３によって加熱ヒータ２２を閉塞板部２１Ｃに対向させるように押さえ込み保持した、構成を有する。
【００３３】
この加温プローブ１３は、図５（Ａ）に示すように、乳房５の乳首８に表面温度センサ２４を対向させるように加温プローブ１３を用意し、当該加温プローブ１３を図５（Ｂ）に示すように、表面温度センサ２４によって乳首８を押さえるように乳房５の先端部分に押し付け保持される。
【００３４】
かくして加温プローブ１３を構成するプローブ本体２１の円環状先端面２１Ａから乳首８の周囲に加熱ヒータ２２から供給した熱量を供給することにより、乳房５の皮膚表面部１２に対して加温熱量を供給する。
【００３５】
システム制御部１４は、図６に示すように、マイクロコンピュータ構成の中央処理ユニット（ＣＰＵ）３１が、バス３２を介してＲＯＭ構成のプログラムメモリ３３のプログラムをＲＡＭ構成の動作メモリ３４を用いて実行することにより、表面温度センサ２４の表面温度検出信号Ｓ２を表面検出温度入力部３７によってディジタルデータに変換して取り込むと共に、制御用温度センサ２６の制御用温度検出信号Ｓ３を制御用検出温度入力部３８においてディジタルデータに変換して取り込む。
【００３６】
ＣＰＵ３１は、取り込んだ表面温度検出データ及び制御用温度検出データに基づいて、図７に示す加温動作処理手順ＲＴ１を実行することにより、加温処理データメモリ部３９に処理データを蓄積しながら加熱電源出力部４０を介して加熱ヒータ２２に対する加熱電流Ｓ１を送出する。
【００３７】
ＣＰＵ３１は、操作入力部４１を介してオペレータが加熱動作命令を入力すると、加温動作処理手順ＲＴ１に入ってステップＳＰ１において表面温度センサ２４及び制御用温度センサ２６を検出動作させることにより、乳房５の皮膚表面部１２（図３）の表面温度データを加温処理データメモリ部３９（図８）の表面温度メモリＭ１に格納する（その温度は表面温度表示部４２に表示される）と共に、制御用温度データを制御用温度メモリＭ２に取り込み、両者の差分データを差分データメモリＭ３に取り込む。
【００３８】
続いてＣＰＵ３１は、ステップＳＰ２に移って、加熱ヒータ２２に対する比較的小さい値の加熱電流Ｓ１を、加熱電源出力部４０から、表面温度測定用電流として、出力する。
【００３９】
この表面温度測定用電流は、乳房の深部１５の温度を測定するための電流で、加熱電流Ｓ１はプローブ本体２１を介して乳房５の皮膚表面部１２（図３）から外部に放熱される放熱量に見合った電流値に選定され、当該表面温度測定用電流値は加温処理データメモリ部３９の表面温度測定用電流値メモリＭ４に予め格納されている。
【００４０】
かくしてＣＰＵ３１は、加熱ヒータ２２によって皮膚表面部１２に加温開始し、次のステップＳＰ３において、表面温度センサ２４の表面温度データと制御用温度センサ２６の制御用温度データが平衡したか否かの判断をする。
【００４１】
ここで否定結果が得られると、このことは皮膚表面部１２の表面温度とプローブ本体２１の温度とが平衡状態になっていないためさらに加熱ヒータ２２による加熱を続ける必要があることを意味し、このときＣＰＵは上述のステップＳＰ１に戻って再度、表面温度センサ２４の表面温度と制御用温度センサ２６の制御用温度とを取り込む動作を繰り返す。
【００４２】
やがてステップＳＰ３において肯定結果が得られると、このことはプローブ本体２１の先端面２１Ａから皮膚表面部１２に供給される熱量と皮膚表面部１２から外部に放熱される熱量とが平衡状態になったことを意味し、このとき深部１５の温度と、表面温度センサ２４の配設位置における皮膚表面の温度とが等しくなったことを意味する。
【００４３】
このときＣＰＵ３１は、ステップＳＰ４に移って、当該表面温度センサ２４によって検出された温度を深部温度として加温処理データメモリ部３９の加温温度設定メモリＭ６に取り込む（その温度は表面温度表示部４２に表示される）。
【００４４】
続いてＣＰＵ３１は、次のステップＳＰ５に移って加熱ヒータ２２に対して乳房加温用電流を流す。
【００４５】
この乳房加温用電流は、乳房５の深部１５（すなわち乳房内部６）の温度を皮膚表面部１２を介して高くするために加熱ヒータ２２に流すもので、当該乳房加温用電流値は予め加温処理データメモリ部３９の乳房加温用電流値設定メモリＭ５に格納されており、ＣＰＵ３１はこの乳房加温用電流値設定メモリＭ５のデータに基づいて比較的大きい電流値の電流を加熱ヒータ２２に供給する。
【００４６】
この結果加温プローブ１３からは、上述のステップＳＰ２において流した表面温度測定用電流より格段的に大きい熱量を加温プローブ１３の先端面２１Ａから乳房５の皮膚表面部１２に与えることにより、深部１５の温度を高めて行く。
【００４７】
続いてＣＰＵ３１は、ステップＳＰ６において、加温処理データメモリ部３９の加温温度設定メモリＭ６に格納されている加温温度設定データに基づいて、表面温度センサ２４から得られる表面温度が加温温度設定値に到達したか否かの判断をする。
【００４８】
ここで否定結果が得られれば、このことは深部１５（すなわち乳房内部６）の温度が未だ加温設定温度に到達していないことを意味し、このときＣＰＵは上述のステップＳＰ５に戻って加熱ヒータ２２に対してさらに乳房加温用電流を流し続ける動作を繰り返す。
【００４９】
やがて、ステップＳＰ６において肯定結果が得られると、このことは表面温度センサ２４によって検出される表面温度が予定した設定加温温度に到達すると共に、深部１５の温度上昇分と皮膚表面部１２から外部への温度放出分とが平衡することにより、深部１５の温度と皮膚表面の温度とが一致する状態になったとこを意味する。
【００５０】
このときＣＰＵ３１は、次のステップＳＰ７に移って、このときの表面温度センサ２４の温度を深部１５の温度、従って乳房内部６の温度として検出して加温処理データメモリ部３９の内部温度検出メモリＭ７に取り込む（その温度は表面温度表示部４２に表示される）。
【００５１】
続いてＣＰＵ３１は、ステップＳＰ８において、加温処理データメモリ３９の加温時間設定メモリＭ９に予め格納されている設定加温時間データに基いて設定加熱時間が経過したか否かの判断をする。
【００５２】
この加温時間は、乳がんの予防ないし治療に必要とする治療時間だけ加温を続けることが必要なことを意味し、従ってステップＳＰ８において否定結果が得られると、このことは治療時間が不足していることを意味する。
【００５３】
このときＣＰＵ３１は、ステップＳＰ９に移って現在の表面温度センサ２４の温度が許容制限温度を越えていないことを確認する。
【００５４】
この許容制限温度は、乳房に火傷を負わせない安全確保のために、表面温度制限値として加温処理データメモリ部３９の表面温度制限値メモリＭ８に予め格納されている。
【００５５】
表面温度が制限値を越えていなければ、ステップＳＰ９において肯定結果が得られることにより、ＣＰＵ３１は上述のステップＳＰ５に戻って再度加熱ヒータ２２に乳房加温用電流を流し続ける処理を繰り返す。
【００５６】
やがてステップＳＰ８において肯定結果が得られると、このことは予定された治療時間の間、乳房内部６に対する加温処置をしたことを意味し、このときＣＰＵ３１はステップＳＰ１０において加熱ヒータ２２、表面温度センサ２４、制御用温度センサ２６をオフ動作させて、次のステップＳＰ１１において当該加温動作処理手順ＲＴ１を終了する。
【００５７】
これに対して上述のステップＳＰ９において否定結果が得られると、このことは乳房の内部温度が制限温度を越えていることを意味し、このときＣＰＵ３１はステップＳＰ１０−ＳＰ１１を介して当該加温動作処理手順ＲＴ１を終了する。
【００５８】
かくして乳房加温装置１１は、乳房内部６の温度を、がんの発生の予防ないし治療に必要な温度に必要な治療時間の間、加熱処置をしたことになる。
【００５９】
以上の構成によれば、乳房に対して外部から加温プローブ１３を当てるだけの簡易な構成によって乳房内部６における、免疫力活発化などのがんの発生の予防ないし治療が可能な機能を実現できる高い温度に、確実かつ安全に高めるような加温処置を行うことができる乳房加温装置を実現し得る。
【００６０】
（３）他の実施の形態
（３−１）図９は第２の実施の形態を示すもので、図４との対応部分に同一符号に添字Ｘを付して示すように、加温プローブ１３Ｘは全体として、外側に膨出するように湾曲した構成を有する。
【００６１】
すなわちプローブ本体２１Ｘの円筒板部２１ＤＸは外側に円錐台形状に延長すると共に、これを閉塞する閉塞板部２１ＣＸはドーム形状に外側に湾曲している。
【００６２】
この実施の形態の場合、加熱ヒータ２２Ｘは、円筒板部２１ＤＸ及び閉塞板部２１ＣＸと対向するように湾曲するように折れ曲るように配置され、その内側から支持するようにほぼドーム形状に外側に湾曲した断熱部材２３Ｘが円筒板部２１ＤＸに嵌込み保持されている。
【００６３】
かくして加温プローブ１３Ｘはその内面中央部に設けた表面温度センサ２４Ｘを、図１０（Ａ）に示すように、乳房５の乳首８に対向するように加温プローブ１３Ｘを準備した後、図１０（Ｂ）に示すように乳房５の先端部分に押し付けるように装着する。
【００６４】
この装着状態において、図７について上述した加温動作処理手順ＲＴ１を実行する際に、加温プローブ１３Ｘの円筒板部２１ＤＸの先端面２１ＡＸが、内側から嵌め込まれた断熱部材２３Ｘがドーム形状に外側に湾曲していることにより、乳房５の表面に隙間なく接触できると共に、表面温度センサ２４Ｘも同様に乳房５の先端部に隙間なく接触することができる。
【００６５】
かくしてプローブ本体２１Ｘの熱が円筒板部２１ＤＸの先端面２１ＡＸから効率良く乳房５の表面に伝達できることにより、当該伝達した熱が皮膚表面部１２から外部に放熱できる状態になることにより、深部１５の温度とプローブ本体２１Ｘの内側中央部に設けた表面温度センサ２４Ｘとの平衡動作を確実に実現できる。
【００６６】
従って以上の構成によれば、さらに一段と確実かつ安全に乳房５の乳房内部６に対する加温処理を一段と安全かつ確実に実行できる乳房加温装置１３Ｘを得ることができる。
【００６７】
（３−２）図４及び図５並びに図９及び図１０の実施の形態の場合、加温プローブ１３並びに１３Ｘを乳房５の先端表面に接触させるように設けた場合について述べたが、本発明はこれに限らず、加温プローブ１３並びに１３Ｘの装着位置は乳房５の先端以外の位置に装着するようにしても良い。
【００６８】
また加温プローブの形状は図４並びに図９の形状に限らず、例えば乳房５の全体を覆うような大きさにしたり、又はプローブ本体２１並びに２１Ｘを半円環状に構成したりしても良い。
【００６９】
さらには、ブラジャーや肌着などに取り付け、あるいは組み込んでもよい。
【産業上の利用可能性】
【００７０】
本発明は乳がんの予防ないし治療処理に利用できる。
【符号の説明】
【００７１】
１……人体、２……深部、５……乳房、６……乳房内部、７……加熱手段、１１……乳房加温装置、１２……皮膚表面部、１３、１３Ｘ……加温プローブ、１４……システム制御部、１５……深部、２１、２１Ｘ……プローブ本体、２１Ａ、２１ＡＸ……先端面、２２、２２Ｘ……加熱ヒータ、２３、２３Ｘ……断熱部材、２４、２４Ｘ……表面温度センサ、２５……等温線、２６、２６Ｘ……制御用温度センサ、３７……表面検出温度入力部、３８……制御用検出温度入力部、３９……加温処理データメモリ部、４０……加熱電源出力部、４１……操作入力部、４２……表面温度表示部。
【図１】
2011072640.tif 000003
【図２】
2011072640.tif 000004
【図３】
2011072640.tif 000005
【図４】
2011072640.tif 000006
【図５】
2011072640.tif 000007
【図６】
2011072640.tif 000008
【図７】
2011072640.tif 000009
【図８】
2011072640.tif 000010
【図９】
2011072640.tif 000011
【図１０】
2011072640.tif 000012
【図１１】
2011072640.tif 000013